(57)【要約】【課題】認証システムの導入負担を軽減し、且つ確実に偽装を防止する為のＩＣカードのユーザー認証システムと、ＩＣカードのユーザー認証方法とを提供することを目的とする。【解決手段】ＩＣカード読み取り部より読みだしたＩＣカード情報から前記ＩＣカードの所有者が認証の承認対象者であるか否かを判別する第１の判別手段と、前記ＩＣカードの所有者と前記ＩＣカードの利用者とが同一人物であるか否かを判別する第２の判別手段と、前記第１の判別手段で前記ＩＣカードの所有者が認証の承認対象者であると判別し、且つ前記第２の判別手段で前記ＩＣカードの所有者と前記ＩＣカードの利用者とが同一人物であることを判別した場合にのみ、車両を操作することを許可する承認制御を行う制御手段と、を備える。【選択図】図１
2014215655.tif 000002
【特許請求の範囲】
【請求項１】
ＩＣカードに記録された情報を読み取るＩＣカード読み取り部と、前記ＩＣカードの利用者の顔映像情報を取得する顔映像情報取得部と、事前に登録された認証の承認対象者のＩＣカード情報および前記承認対象者の顔映像情報とを記録した記録部と、を備えた車両内に設置されたＩＣカードのユーザー認証システムであって、
前記ＩＣカードのユーザー認証システムは、前記ＩＣカード読み取り部より読みだしたＩＣカード情報から前記ＩＣカードの所有者が認証の承認対象者であるか否かを判別する第１の判別手段と、前記ＩＣカードの所有者と前記ＩＣカードの利用者とが同一人物であるか否かを判別する第２の判別手段と、前記第１の判別手段で前記ＩＣカードの所有者が認証の承認対象者であると判別し、且つ前記第２の判別手段で前記ＩＣカードの所有者と前記ＩＣカードの利用者とが同一人物であることを判別した場合にのみ、車両を操作することを許可する承認制御を行う制御手段と、を備えることを特徴とするＩＣカードのユーザー認証システム。
【請求項２】
前記第１の判別手段は、前記ＩＣ読み取り部から読み取った前記ＩＣカード情報が、前記記録部に記録された前記承認対象者のＩＣカード情報内に含まれるか否かで判別する、ことを特徴とする請求項１に記載のＩＣカードのユーザー認証システム。
【請求項３】
前記第２の判別手段は、前記第１の判別手段で承認対象者であると判別された前記ＩＣカードに関連付けられて記録された前記承認対象者の顔映像情報と、前記ＩＣカードの利用者の顔映像情報とを照合することで、前記ＩＣカードの所有者と前記ＩＣカードの利用者とが同一人物であると判別する、ことを特徴とする請求項１または２に記載のＩＣカードのユーザー認証システム。
【請求項４】
前記顔映像情報は、顔の左側面から正面を経て右側面に至るまで顔前方部反面を連続して撮影した画像であり、前記承認対象者の顔映像情報は前記記録部に事前に前記承認対象者のＩＣカードと関連付けて登録された物であり、且つ前記ＩＣカードの利用者の顔映像情報は認証処理を行なっている間に撮影された物であることを特徴とする請求項１ないし３のいずれかに記載のＩＣカードのユーザー認証システム。
【請求項５】
ＩＣカードに記録された情報を読み取るＩＣカード読み取り部と、前記ＩＣカードの利用者の顔映像情報を取得する顔映像情報取得部と、事前に登録された認証の承認対象者のＩＣカード情報および前記承認対象者の顔映像情報とを記録した記録部と、を備えた車両内に設置されたＩＣカードのユーザー認証システムのＩＣカードのユーザー認証方法であって、
前記ＩＣカードのユーザー認証システムは、前記ＩＣカード読み取り部より読みだしたＩＣカード情報から前記ＩＣカードの所有者が認証の承認対象者であるか否かを判別する第１の判別ステップと、前記ＩＣカードの所有者と前記ＩＣカードの利用者とが同一人物であるか否かを判別する第２の判別ステップと、前記第１の判別手段で前記ＩＣカードの所有者が認証の承認対象者であると判別し、且つ前記第２の判別手段で前記ＩＣカードの所有者と前記ＩＣカードの利用者とが同一人物であることを判別した場合にのみ、車両を操作することを許可する承認制御を行う制御ステップと、を備えることを特徴とするＩＣカードのユーザー認証方法。
【請求項６】
前記第１の判別ステップは、前記ＩＣ読み取り部から読み取った前記ＩＣカード情報が、前記記録部に記録された前記承認対象者のＩＣカード情報内に含まれるか否かで判別する、ことを特徴とする請求項５に記載のＩＣカードのユーザー認証方法。
【請求項７】
前記第２の判別ステップは、前記第１の判別手段で承認対象者であると判別された前記
ＩＣカードに関連付けられて記録された前記承認対象者の顔映像情報と、前記ＩＣカードの利用者の顔映像情報とを照合することで、前記ＩＣカードの所有者と前記ＩＣカードの利用者とが同一人物であると判別する、ことを特徴とする請求項５または６に記載のＩＣカードのユーザー認証方法。
【請求項８】
前記顔映像情報は、顔の左側面から正面を経て右側面に至るまで顔前方部反面を連続して撮影した画像であり、前記承認対象者の顔映像情報は前記記録部に事前に前記承認対象者のＩＣカードと関連付けて登録された物であり、且つ前記ＩＣカードの利用者の顔映像情報は認証処理を行なっている間に撮影された物であることを特徴とする請求項５ないし７のいずれかに記載のＩＣカードのユーザー認証方法。
【請求項９】
ＩＣカードに記録された情報を読み取るＩＣカード読み取り部と、前記ＩＣカードの利用者の顔映像情報を取得する顔映像情報取得部と、事前に登録された認証の承認対象者のＩＣカード情報および前記承認対象者の顔映像情報とを記録した記録部と、を周囲に備えた集積回路であって、
前記集積回路は、前記ＩＣカード読み取り部より読みだしたＩＣカード情報から前記ＩＣカードの所有者が認証の承認対象者であるか否かを判別する第１の判別ステップと、前記ＩＣカードの所有者と前記ＩＣカードの利用者とが同一人物であるか否かを判別する第２の判別ステップと、前記第１の判別手段で前記ＩＣカードの所有者が認証の承認対象者であると判別し、且つ前記第２の判別手段で前記ＩＣカードの所有者と前記ＩＣカードの利用者とが同一人物であることを判別した場合にのみ、車両を操作することを許可する承認制御を行う制御ステップと、を備えることを特徴とする集積回路。
【請求項１０】
前記第１の判別ステップは、前記ＩＣ読み取り部から読み取った前記ＩＣカード情報が、前記記録部に記録された前記承認対象者のＩＣカード情報内に含まれるか否かで判別する、ことを特徴とする請求項９に記載の集積回路。
【請求項１１】
前記第２の判別ステップは、前記第１の判別手段で承認対象者であると判別された前記ＩＣカードに関連付けられて記録された前記承認対象者の顔映像情報と、前記ＩＣカードの利用者の顔映像情報とを照合することで、前記ＩＣカードの所有者と前記ＩＣカードの利用者とが同一人物であると判別する、ことを特徴とする請求項９または１０に記載の集積回路。
【請求項１２】
前記顔映像情報は、顔の左側面から正面を経て右側面に至るまで顔前方部反面を連続して撮影した画像であり、前記承認対象者の顔映像情報は前記記録部に事前に前記承認対象者のＩＣカードと関連付けて登録された物であり、且つ前記ＩＣカードの利用者の顔映像情報は認証処理を行なっている間に撮影された物であることを特徴とする請求項１０または１１に記載の集積回路。
【発明の詳細な説明】
【技術分野】
【０００１】
本発明は、ＩＣカードのユーザー認証システムとＩＣカードのユーザー認証方法に関する物である。
【背景技術】
【０００２】
現在、免許証、旅券、社員証などの多様な用途でＩＣカードが利用されており、所有者に関する情報管理や個人識別などに用いられている。特に自動車に係る分野に関しては、車両の盗難防止目的の他、カーシェアリング時のライセンス認証など新たなカーライフに於いて、ＩＣカード化された運転免許証の活用が見込まれている。
【０００３】
ＩＣカードは小型で軽量である為、持ち運びが容易という特長を持つ反面、盗難や貸し借り、譲渡などが簡単に出来ることから、ＩＣカードの所有者になりすます偽装問題が顕在化している。
【０００４】
前述の様な偽装を防ぐ手段として、ＩＣカードの所有者のみが把握する情報（例えば、認証パスワード）を事前に認証システムに登録し、認証時に前記登録した情報について入力や提示を要求するといった方法が考えられる。
【０００５】
しかしながら、前述の方法では所有者が事前に認証パスワードを記憶あるいは記録しておく必要がある為、利用者にとって煩わしく、また記録した媒体の盗難や紛失を介して情報漏洩の課題があった。
【０００６】
また、利用者が事前登録情報を忘却した場合には、再登録の必要性が発生したり、場合によっては使用不可となる課題も存在した。
【０００７】
前記課題に対して、ＩＣカードに顔画像データを記憶しておき、前記顔画像データと、利用者の顔の撮影結果とを照合することで、利用者の認証を行うＩＣカードのユーザー認証システムとＩＣカードのユーザー認証方法が提案されている（例えば、特許文献１）。
【０００８】
この認証システムと認証方法によれば、ＩＣカードに保持された顔画像データと実撮影映像との照合を実施することで利用者の偽装防止に繋がるだけでなく、認証を行う際に必要となる情報を、利用者が記憶もしくは記録する必要が無くなることから、利用者の負担を軽減することが可能であった。
【先行技術文献】
【特許文献】
【０００９】
【特許文献１】特開２０１２−６８９２４号公報
【発明の概要】
【発明が解決しようとする課題】
【００１０】
しかしながら、従来の技術では顔正面の２次元画像での照合となるため、正規ユーザーの顔写真を、偽装者が自身の顔の前に持つことで、認証システムは正規ユーザー本人であると誤認識する課題があった。また、従来の技術では認証システムとして重要な役割を果たす撮影用カメラを車内に固定設置しておく必要があり、認証システムの導入負担に関しての課題も存在していた。
【００１１】
本発明は、前述の課題を鑑みて考案したもので、認証システムの導入負担を軽減し、且つ確実に偽装を防止する為のＩＣカードのユーザー認証システムと、ＩＣカードのユーザー認証方法とを提供することを目的とする。
【課題を解決するための手段】
【００１２】
本発明に係るＩＣカードのユーザー認証システムは、ＩＣカードに記録された情報を読み取るＩＣカード読み取り部と、前記ＩＣカードの利用者の顔映像情報を取得する顔映像情報取得部と、事前に登録された認証の承認対象者のＩＣカード情報および前記承認対象者の顔映像情報とを記録した記録部と、を備えた車両内に設置されたＩＣカードのユーザー認証システムを対象としている。
【００１３】
そして、ＩＣカードのユーザー認証システムのＩＣカードのユーザー認証方法は、前記ＩＣカードのユーザー認証システムは、前記ＩＣカード読み取り部より読みだしたＩＣカード情報から前記ＩＣカードの所有者が認証の承認対象者であるか否かを判別する第１の判別工程と、前記ＩＣカードの所有者と前記ＩＣカードの利用者とが同一人物であるか否かを判別する第２の判別工程と、前記第１の判別手段で前記ＩＣカードの所有者が認証の承認対象者であると判別し、且つ前記第２の判別手段で前記ＩＣカードの所有者と前記ＩＣカードの利用者とが同一人物であることを判別した場合にのみ、車両を操作することを許可する承認制御を行う制御工程と、を備えた物である。
【発明の効果】
【００１４】
前述の様な構成および方法によれば、ＩＣカードのユーザー認証時に於いて偽装を確実に防ぐことが可能となり、且つ認証システムの導入負担を効果的に低減することが可能となる。
【図面の簡単な説明】
【００１５】
【図１】本発明の実施の形態におけるＩＣカードのユーザー認証システムのイメージ図
【図２】本発明の実施の形態における図１のＩＣカードリーダーのブロック図
【図３】本発明の実施の形態における図１のＩＣカードのブロック図
【図４】本発明の実施の形態におけるＩＣカードのユーザー認証システムの認証フローチャート
【図５】本発明の実施の形態におけるＩＣカードのユーザー認証システムの利用者顔映像情報取得・照合処理フローチャート
【図６】（ａ）本発明の実施の形態における利用者顔映像情報の取得方法のイメージ図（ｂ）本発明の実施の形態における利用者顔画像情報のイメージ図
【発明を実施するための形態】
【００１６】
（実施の形態）
以下、本発明の実施の形態に於けるＩＣカードのユーザー認証システムについて図１、図２、図３を参照しながら説明する。
【００１７】
図１は、本発明の実施の形態に係るＩＣカードのユーザー認証システムに関する構成ブロック図である。図２は、図１の認証システムに於けるＩＣカードリーダーの構成ブロック図と実使用例である。また、図３は図１の認証システムに於けるＩＣカードの電気的構造をブロック図にしたものである。
【００１８】
図１に示す様に、本実施の形態に係るＩＣカードを利用したユーザー認証システムは、主な構成の要素として、車載認証装置１とＩＣカードリーダー２とカメラ３とＩＣカード４とを備えており、ＩＣカードリーダー２にかざされたＩＣカード４に記録されている所
有者と、本システムを搭載する車両を運転しようとする認証対象の利用者Ｕ１とが、同一の人物であり、本システムを搭載する車両を運転する資格があることを確認するための認証システムである。
【００１９】
こで、具体的にはカーシェアリングと言ったライセンス認証が必要なユースケースを想定している。また、ＩＣカード４はＩＣが内蔵された運転免許証であり、カメラ３は車外からの持込機器（例えば、コンパクトデジタルスチールカメラやスマートフォン）を想定している。
【００２０】
車載認証装置１は、本実施の形態のユーザー認証システムに於いて、最も重要な役割を果たす装置である。図１を参照しながら、車載認証装置１について説明する。
【００２１】
認証装置制御部１１は、車載認証装置１を制御するブロックであり、例えばＣＰＵ、ＲＯＭ及びＲＡＭを含む集積回路からなる。
【００２２】
ＣＰＵは、ＲＯＭに格納されたコンピュータプログラムを、ＲＡＭを作業領域として使いながら実行することで、後述の接続された各部位を制御する。認証装置制御部１１には、カメラ映像受信部１２、ユーザーインターフェース１３、認証用情報格納メモリ１４、ＩＣカードリーダー用インターフェース１５が接続されている。認証装置制御部１１は前記ＩＣカードリーダー用インターフェース１５を介してＩＣカードリーダー２と接続され、前記ＩＣカードリーダー２が読み取ったＩＣカード４に記録されているカード情報（以後、ＩＣカード情報）を取得することが出来る。
【００２３】
また、認証装置制御部１１はカメラ映像受信部１２を介して、カメラ３から映像信号をストリーミング受信することが出来る。認証装置制御部１１は、取得したＩＣカード４のＩＣカード情報と、カメラ３から受信取得した利用者の顔情報を確認するための映像情報（以後、利用者顔映像情報）と、認証用情報格納メモリ１４に格納されている情報とを元に、ＩＣカード４の所有者が、本システムを搭載している車両を運転する資格を持っているか否かを判断し、且つ利用者がＩＣカード４の所有者と同一の人物であるか否かを確認する。
【００２４】
なお、カメラ３から受信取得する利用者顔映像情報は、本発明に於いて非常に重要な内容となるため、詳細を後述する。
【００２５】
カメラ映像受信部１２は、認証装置制御部１１によって制御され、無線通信（例えばＷＬＡＮ）を利用して、カメラ３が撮影している映像情報を受信する部位である。カメラ映像受信部１２で受信した情報は、カメラ映像受信部１２を介して認証装置制御部１１に伝達される。
【００２６】
ユーザーインターフェース１３は、ＩＣカードの認証処理時に於いて、利用者Ｕ１と情報のやりとりを行うための部位であり、具体的にはタッチパネルディスプレイを示す。ユーザーインターフェース１３は認証装置制御部１１によって制御され、映像データを表示したり、利用者Ｕ１によって操作されたタッチパネルの座標情報を通知する。
【００２７】
認証用情報格納メモリ１４は、本システムで認証を行う際に必要となる認証用情報を格納している部位であり、認証装置制御部１１によって制御される。認証用情報とは、車両を運転する資格のある資格保有者の、運転免許証のＩＣカード情報（以後、登録ＩＣカード情報）や、前記資格保有者の顔映像情報（以後、登録顔映像情報）である。
【００２８】
なお、登録ＩＣカード情報と登録顔映像情報とは、前記資格保有者ごとに紐付けて管理
されている。
【００２９】
すなわち、資格保有者Ａの登録ＩＣカード情報を登録ＩＣカード情報Ａ、資格保有者Ａの登録顔映像情報を登録顔映像情報Ａとしたとき、登録ＩＣカード情報Ａと登録顔映像情報Ａとは対で管理される。なお、登録顔映像情報は、前述の顔映像情報と同一の手法で撮影記録された情報であることを特徴とする。
【００３０】
ＩＣカードリーダー用インターフェース１５は前述の様に、ＩＣカードリーダー２と有線ケーブル（例えば、Ｕｎｉｖｅｒｓａｌ  Ｓｅｒｉａｌ  Ｂｕｓ（以後、ＵＳＢ））で接続するためのコネクタであり、認証装置制御部１１と接続されている。
【００３１】
次に、ＩＣカードリーダー２について図２を参照しながら説明する。  図２に示す様に、ＩＣカードリーダー２には、ＩＣカードリーダー２全体を制御するＩＣカードリーダー制御部２１を有しており、前記ＩＣカードリーダー制御部２１を中心として、後述のＮＦＣ通信部２２や車両認証装置用インタフェース２３などが接続されている。
【００３２】
ＮＦＣ通信部２２は、ＩＣカードリーダー制御部２１により制御され、ＮＦＣ通信アンテナ２４を介してＩＣカード４と電磁波による通信を行い、ＩＣカード４の保持する情報を取得する。
【００３３】
ＩＣカードリーダー制御部２１は取得したＩＣカード４の情報を、車両認証装置用インタフェース２３を介して、車載認証装置１に通知する。
【００３４】
続いて、ＩＣカード４の構成について図３を用いて説明する。図３に示す様に、ＩＣカード４は、ＩＣカード制御部４１、ＮＦＣ通信部４２、ＩＣカード情報格納用メモリ４３、ＮＦＣ通信アンテナ４４、電源回路４５等で構成される。
【００３５】
電源回路４５は、ＮＦＣ通信アンテナ４４を介して受信したＩＣカードリーダー２による送信信号から動作用電源を生成しており、生成した電源をＩＣカード制御部４１の他、ＩＣカード４を構成する各ブロックに供給している。
【００３６】
ＩＣカード制御部４１は、前記電源回路４５によって生成された電源によって動作する。また、ＩＣカード制御部４１は、ＩＣカード情報格納用メモリ４３に格納されている情報を読み出し、ＮＦＣ通信部４２およびＮＦＣ通信アンテナ４４を介してＩＣカードリーダー２に送信する。
【００３７】
ＩＣカード情報格納用メモリ４３は、ＥＥＰＲＯＭといった半導体メモリによって構成されており、ＩＣカード制御部４１によって制御される。ＩＣカード情報格納用メモリ４３には、ＩＣカード４を識別するための識別情報の他、ＩＣカード４の用途に応じたデータ（例えば、運転免許に関するデータ）を記録している。以後、ＩＣカード情報格納用メモリ４３に格納されている情報をＩＣカード情報と呼ぶ。
【００３８】
上記の様に構成されたＩＣカードを利用した認証システムの認証処理について、図４，図５のフローチャートを用いて説明する。図４および図５の処理は主に車載認証装置１によってなされるものである。
【００３９】
なお、本例では、図１の認証システムを構成する要素全てが起動状態（待機状態）にあるとする。また、カメラ３と車載認証装置１との間のＷＬＡＮ通信は既に接続状態（すなわち、機器間のＷＬＡＮ通信の認証処理が完了した状態）で、カメラ３で撮影している映像情報は車載認証装置１で既にストリーミングで受信中であり、ユーザーインターフェー
ス１３に表示された利用者顔映像情報の取得開始ボタンを利用者Ｕ１によって押されたタイミングで、利用者顔映像情報を認証装置制御部１１で所有するＲＡＭ領域に取得開始できる状態にあるとする。
【００４０】
また、認証用情報格納メモリ１４には、車両運転資格所有者のリスト情報や、前記運転資格所有者に紐付けられた顔映像情報が保持されているものとする。
【００４１】
図４は、図１に於けるＩＣカードのユーザー認証システムが、捕捉したＩＣカード４に登録されている所有者が、本システムを搭載する車両を運転する資格がある人物であり、かつ前記捕捉したＩＣカード４の登録者と、前記本システムを搭載する車両を今から運転しようとする利用者Ｕ１とが、同一の人物であることをカメラ３からの顔映像情報での照合を利用して認証するときのフローチャートである。
【００４２】
まず、認証装置制御部１１は、認証処理開始に伴い、認証待ち状態である旨をユーザーインターフェース１３に表示した状態で待機し（ステップＳ１０１）、ＩＣカード４をＩＣカードリーダー２で捕捉したか否かを判断する（ステップＳ１０２）。
【００４３】
ＩＣカード４をＩＣカードリーダー２で捕捉するまで、ステップＳ１０１に戻り、待機状態を保持し続ける。ＩＣカード４をＩＣカードリーダー２で捕捉したと判断した場合、ＩＣカード４の情報を取得する処理（ステップＳ１０３）へ進む。
【００４４】
認証装置制御部１１は、ＩＣカードリーダー用インターフェース１５を介してＩＣカードリーダー２を介して、ＩＣカード４に記録されているＩＣカード情報を取得し、認証装置制御部１１が持つＲＡＭ領域に保持する（ステップＳ１０３）。以後、ＩＣカード４のＩＣカード情報をＩＣカード情報Ａと呼ぶ。
【００４５】
認証装置制御部１１は、認証用情報格納メモリ１４に記録されている、登録ＩＣカード情報を検索し、ステップＳ１０３で取得したＩＣカード情報Ａが前記登録ＩＣカード情報の中に含まれる情報か否かを判断する（ステップＳ１０４）。
【００４６】
登録ＩＣカード情報のリストの中にＩＣカード情報Ａが含まれている場合は、利用者とＩＣカード所有者との照合を行う処理（ステップＳ１０５）に進む。登録ＩＣカード情報にＩＣカード情報Ａが含まれていない場合は、認証失敗処理（ステップＳ１０８）へ進む。
【００４７】
認証装置制御部１１は、ＩＣカード４の所有者と、利用者Ｕ１とが同一人物であるか否かを確認するため、利用者顔映像情報取得・照合処理を行う（ステップＳ１０５）。利用者顔映像情報取得・照合処理が完了した場合、照合結果を判断する処理（ステップＳ１０６）へ進む。ここで、利用者顔映像情報取得・照合処理について、図５を利用して説明する。
【００４８】
図５は、カメラ３により撮影された利用者顔映像情報を取得し、登録顔映像情報との照合を行うことで、ＩＣカード４の所有者と、利用者Ｕ１とが同一人物であることを判断する時のフローチャートである。
【００４９】
認証装置制御部１１は、利用者顔映像情報の撮影方法と、利用者顔映像情報の取得開始を促す内容と、取得開始をユーザーによって車載認証装置１に明示させる「利用者映像  取得開始」と記載されたボタンを、ユーザーインターフェース１３上に表示しながら待機し（ステップＳ１０５＿１）、「利用者映像  取得開始」ボタンが押されたことを検出したか否かを判断する（ステップＳ１０５＿２）。
【００５０】
「利用者映像  取得開始」ボタンが押されたと判断した場合は、利用者映像情報を取得する処理（ステップＳ１０５＿３）に進む。「利用者映像  取得開始」ボタンが押されない場合は、ステップＳ１０５＿１の状態を保持したまま、ボタンが押されるまで待機する。
【００５１】
ここで、利用者顔画像情報について図６を利用して説明する。図６の（ａ）は利用者顔映像情報の取得方法を図にしたものであり、図６（ｂ）は、図６（ａ）の動作で撮影した場合に得られる利用者顔画像情報のイメージを図にした物である。
【００５２】
図６（ａ）は、利用者Ｕ１を上方から見下ろした図となっており、図面に対して、水平方向で考える。利用者Ｕ１の顔正面を位相基準（±０度）とし、利用者Ｕ１の中心を回転軸として、時計回りの方向を負位相、反時計回りの方向を正位相と定義する。
【００５３】
このとき、利用者顔映像情報取得時のカメラ３での撮影方法は、利用者Ｕ１を軸の中心として、＋９０度から−９０度までの１８０度に渡り、反時計回りに回転させつつ撮影することが特徴となる。本動作は、前述の「利用者映像  取得開始」ボタンが押されたタイミングで＋９０度の位置から開始することとする。
【００５４】
図６（ｂ）は、図６（ａ）の動作で撮影された場合の利用者顔画像情報のイメージ図である。図６（ｂ）では特徴的な例として、−９０度、−４５度、±０度、＋４５度、＋９０度の計５方向からの顔映像情報を表示しているが、実際にはストリーミング映像でのデータ取得となるため、更に細かい位相からの利用者の顔映像情報を連続で取得することが可能である。
【００５５】
前述のような方法で撮影された映像は、利用者Ｕ１の顔の情報が左側面から始まり、正面を経て、右側面にいたるまで、１８０度に渡る利用者Ｕ１の顔の情報が取得されることとなる。すなわち、利用者Ｕ１の顔を全方位から確認することで、仮想的に立体の情報を得ることが可能となり、立体の顔情報からの照合が可能となる。
【００５６】
すなわち、従来の技術で課題平面の情報のみ有する画像を用いた偽装を確実に防ぐことが可能となる。さらに、ストリーミングでのリアルタイム情報取得とすることにより、事前記録による偽装を防ぐことも可能である。
【００５７】
ここで、図５のフローチャートに戻る。「利用者映像  取得開始」ボタンが押されたことを検出した認証装置制御部１１は、「利用者映像  取得終了」ボタンを表示させ、且つ利用者映像情報の取得する処理を行う（ステップＳ１０５＿３）。
【００５８】
利用者映像情報の取得方法は前述の通りであり、「利用者映像  取得終了」が利用者Ｕ１によって押されるまで、カメラ映像受信部１２を介してストリーミングで受信される利用者顔映像情報を記録保持し続ける。
【００５９】
「利用者映像  取得終了」が利用者Ｕ１によって押されたタイミングで、取得した利用者顔映像情報で照合が可能か否かの判断する処理（ステップＳ１０５＿４）に進む。
【００６０】
なお、本ステップＳ１０５＿３に於いて、認証装置制御部１１は受信している利用者顔映像情報をリアルタイムで画像処理し、配信される映像情報の中でいずれの部位が利用者の顔となり、その時の利用者の顔の向きがいずれの向きで、照合に必要な情報を含んでいるか否かを判断しながら記録保持する。
【００６１】
利用者顔映像情報の取得後に、認証装置制御部１１は取得した利用者顔映像情報で登録顔映像情報との照合が可能か否かを判断する（ステップＳ１０５＿４）。
【００６２】
すなわち、利用者とＩＣカードの所有者とが同一人物であることを照合して確認する際の判断基準が、取得した利用者顔映像情報に含まれているか否かで判断する。
【００６３】
取得した利用者顔映像情報で登録顔映像情報との照合が可能と判断した場合は、照合処理（ステップＳ１０５＿６）に進む。取得した利用者顔映像情報で登録顔映像情報との照合ができないと判断した場合は、再度、利用者顔映像情報の取得を促す処理（ステップＳ１０５＿５）へ進む。
【００６４】
取得した利用者顔映像情報では登録顔映像情報との照合ができないと判断した場合、認証装置制御部１１は、ユーザーインターフェース１３に再度利用者映像情報を撮影するよう促す内容と、「利用者映像  取得開始」を表示し、ステップＳ１０５＿２の処理に戻る。
【００６５】
取得した利用者顔映像情報で登録顔映像情報との照合ができると判断した場合、認証装置制御部１１は、利用者顔映像情報と登録顔映像情報との照合処理を行う（ステップＳ１０５＿６）。
【００６６】
ここで利用者顔映像情報と登録顔映像情報との照合技術については、回転位相と関連付けて照合の判断基準として利用することで、公知の様々な技術での判断基準を採用することができる。
【００６７】
例えば、構造的特徴を複数箇所抽出し、前記複数の構造的特徴の回転位相に応じた軌跡を照合の判断基準とする方法や、回転位相ごとに顔情報部のパターンマッチングをとる方法などでも良い。本ステップに於ける照合処理が完了した後、照合結果を判断する処理（ステップＳ１０５＿７）に進む。
【００６８】
認証装置制御部１１は、利用者顔映像情報と登録顔映像情報との照合結果より、利用者顔映像情報に含まれる顔情報と、登録顔映像情報に含まれる顔情報とが一致するか否かを判断する（ステップＳ１０５＿７）。
【００６９】
利用者顔映像情報に含まれる顔情報と、登録顔映像情報に含まれる顔情報とが一致すると判断した場合、照合結果として利用者Ｕ１がＩＣカード４と同一人物であるという結果を保持し（ステップＳ１０５＿８）、利用者顔映像情報取得・照合処理を完了する。
【００７０】
利用者顔映像情報に含まれる顔情報と、登録顔映像情報に含まれる顔情報とが一致しないと判断した場合、照合結果として利用者Ｕ１がＩＣカード４と同一人物では無いという結果を保持し（ステップＳ１０５＿９）利用者顔映像情報取得・照合処理を完了する。
【００７１】
ここからは再び図４に戻って説明を行う。図５の様なフローチャートで利用者顔映像情報取得・照合処理を完了した認証装置制御部１１は、前述の照合結果を元に、利用者Ｕ１がＩＣカード４の所有者と同一人物であるか否かを判断し（ステップＳ１０６）、同一人物であると判断した場合は、利用者Ｕ１に対する認証成功処理（ステップＳ１０７）へ進み、同一人物でないと判断した場合は、利用者Ｕ１に対する認証失敗処理（ステップＳ１０８）に進む。
【００７２】
利用者Ｕ１が、ＩＣカード４の所有者と同一人物であると判断した場合、認証装置制御部１１は、利用者Ｕ１が本システムを搭載している車両を運転することを許可するための
認証成功処理を行い（ステップＳ１０７）、処理を完了する。
【００７３】
また、利用者Ｕ１がＩＣカード４の所有者と同一人物では無いと判断した場合、認証装置制御部１１は、利用者Ｕ１に認証に失敗した旨を伝えるため、ユーザーインターフェース１３に認証処理に失敗した旨を表示するよう制御し、一定時間（例えば５秒）の間、表示を保持する。その後、認証処理の過程で取得した全情報（例えば、登録ＩＣカード情報や、利用者顔映像情報）を消去し、ステップＳ１０１の待機状態に戻る（ステップＳ１０８）。
【００７４】
上記の様に、本実施の形態により、ＩＣカードのユーザー認証時に於いて偽装を確実に防ぐことが可能となり、且つ認証時に必要なカメラに持込機器を利用することができるため、認証システムの導入負担を効果的に低減することが可能となる。
【００７５】
本実施の携帯は特に、ＩＣカード４の所有者と、本認証システムを搭載した装置の利用者とが同一人物であることを確認する上で利用者の偽装を確実に防ぐことができるため、本技術は、無免許運転の防止や、カーシェアリングなどにおけるライセンス保持者の認証を行いたい場合に特に有用である。
【００７６】
なお、本発明は、本実施の形態そのままに限るものではなく、実施段階ではその要旨を逸脱しない範囲で構成要素を適宜変更して具体化することが可能である。
【００７７】
たとえば、本発明の実施の形態では利用者によって持ち込まれるＩＣカード４とカメラ３との接続手段として無線通信を用いて説明したが、これに限るものではなく、どちらか一方、若しくは両方ともを有線の通信（例えばＨｉｇｈ  Ｄｅｆｉｎｉｔｉｏｎ  Ｍｕｌｔｉｍｅｃｉａ  Ｉｎｔｅｒｆａｃｅ（以後、ＨＤＭＩ（登録商標））やＵｎｉｖｅｒｓａｌ  Ｓｅｒｉａｌ  Ｂｕｓ（以後、ＵＳＢ））を用いても良い。
【００７８】
また、本実施の形態では、車載認証装置１とＩＣカードリーダー２とはＵＳＢを介して接続する構成としたが、これに限るものではなく、本発明の要素を逸脱しない範囲で適宜構成を変更することが可能である。例えば、車載認証装置１とＩＣカードリーダー２との間の通信に無線通信（例えば、ＷＬＡＮやＢｌｕｅｔｏｏｔｈ（登録商標））を用いても良い。また、車載認証装置１の内部にＩＣカードリーダー２を組み込んだ構成としても良い。
【００７９】
また、本発明の実施の形態では利用者の顔を撮影するためのカメラ３を、利用者によって持ち込まれる構成としたが、これに限るものではなく、車載認証装置１と同様に車内に固定設置されている物でもよい。ただし、その場合、利用者の顔正面を−９０度から＋９０度の１８０度に渡り撮影できるシステムで構成する必要がある。
【００８０】
また、本実施の形態ではＩＣカードに紐付けられた正規ユーザーの登録顔映像情報を保持する認証用情報格納メモリ１４は車載認証装置１に組み込まれている構成としたが、これに限るものではなく、車載認証装置１の外部に存在する構成でも良い。例えば、認証用情報格納メモリ１４をクラウド上のサーバーに設定し、適宜無線通信（例えば、ＬＴＥ）を利用して取得する手段を用いても良い。
【００８１】
また、本実施の形態では、板状で長方形型のＩＣカードを用いて説明したが、これに限るものでなく、利用者が所持しつつ使用可能な形状であれば、ＩＣカードの形状は特に限定されない。
【００８２】
また、本実施の形態では、運転免許証としてＩＣカード４を例示したが、これに限るも
のではなく、ＩＣカードは、パスポートや社員証などで構成しても良い。
【００８３】
また、本実施の形態で例示した認証方法について、本発明の範囲を逸脱しない範囲で処理手順を適宜変更もしくは増減しても良い。例えば、本実施の形態では、ＩＣカード４のＩＣカード情報と登録ＩＣカード情報との照合を行った後に、利用者顔映像情報と登録顔映像情報との照合を行なっているが、利用者顔映像情報と登録顔映像情報との照合を行った後に、ＩＣカード４から取得したＩＣカード情報と登録ＩＣカード情報との照合を行っても良い。
【００８４】
また、本実施の形態では、利用者顔映像情報の取得方法として、利用者Ｕ１の方向は固定とし、カメラ３を動かして映像取得する方法で説明したが、これに限るものではない。例えば、カメラ３を固定とし、利用者Ｕ１が左側面から右側面に至るまで１８０度顔を回転させるという方法でも良い。
【産業上の利用可能性】
【００８５】
以上の様に、本発明に係るＩＣカードのユーザー認証システムは、本システムを搭載する装置の利用者と、前記ＩＣカードの所有者とが同一人物であることを確実に判断する必要がある場合に於いて好適である。
【符号の説明】
【００８６】
１    車載認証装置
２    ＩＣカードリーダー
３    カメラ
４    ＩＣカード
１１  認証装置制御部
１２  カメラ映像受信部
１３  ユーザーインターフェース
１４  認証用情報格納メモリ
１５  ＩＣカードリーダー用インターフェース
２１  ＩＣカードリーダー制御部
２２  ＮＦＣ通信部
２３  車両認証装置用インタフェース
２４  ＮＦＣ通信アンテナ
４１  ＩＣカード制御部
４２  ＮＦＣ通信部
４３  ＩＣカード情報格納用メモリ
４４  ＮＦＣ通信アンテナ
４５  電源回路
Ｕ１  利用者
【図１】
2014215655.tif 000003
【図２】
2014215655.tif 000004
【図３】
2014215655.tif 000005
【図４】
2014215655.tif 000006
【図５】
2014215655.tif 000007
【図６】
2014215655.tif 000008